Podtech/llm-jp-corpus-v4-ja_patent huggingface dataset:
(57)【要約】【課題】  トイレットペーパーホルダーを自動化するにあたり、ペーパー巻き取り部をコンパクトに、又、スムーズに巻き取ることがホルダーの軽量化コンパクト化にとって重要である。【解決手段】  トイレットペーパーホルダーの自動化においてペーパーを使用し易い長さ、及び複数回に巻いて直ぐに使用できる状態にするためにベルト巻き取り方式とした。軸により回転自在としたベルトとベルトの間にペーパーを入れベルトに挟みながら送り、ベルトに巻き込むものであり、ペーパーを円滑に送るガイド、駆動部及び、それを制御する制御部から成る電動トイレットペーパー巻き取り装置である。【選択図】図２
0003132686.tif 000002
【実用新案登録請求の範囲】
【請求項１】
トイレットペーパーを使用するときの長さに巻く為に、二つの軸に取り付けた該ペーパー幅より細いベルト、又は柔軟性のあるリングを回転自在として、該ベルト三つのベルト直線部分を接触させて基盤に設置したものを上ベルト、中ベルト、下ベルトとして該中ベルトの内側、及び軸部の外側に該ペーパーを円滑に送る為のガイドを取り付け、該中ベルトと上ベルトの間に該ペーパーを入れ、ベルトとベルトで挟み該中ベルトに巻き込むものであって、該ペーパーを複数回に巻く為の駆動部、及び制御部から成る電動トイレットペーパー巻き取り装置である。
【考案の詳細な説明】
【技術分野】
【０００１】本考案は電動トイレットペーパーホルダーのペーパーを巻き取る部分の装置である。
【背景技術】
【０００２】従来のトイレットペーパーホルダーにおいてベルトにペーパーを巻く方式は無かった。
【特許文献】  特開２００１−２９２５８号  公報
【考案の開示】
【考案が解決しようとする課題】
【０００３】トイレットペーパーホルダーを自動化するにあたって巻き取り部を、いかにコンパクトにするか又、スムーズに巻き取るかが重要な要素である。
【課題を解決するための手段】
【０００４】本考案は、トイレットペーパーを使用し易い長さ、及び回数に巻き取る為にペーパーをベルトに巻き取る方式としたものである、回転自在としたベルトとベルトの間にペーパーを入れベルトに挟み込みながらベルトに巻き取り、手で取り出し直ぐに使用出きる状態にするものである。駆動部、及び制御部を備えることにより自動的に巻き取ることとした。
【考案の効果】
【０００５】本考案のベルト巻き取り方式により、トイレットペーパーを使用し易い状態にし、又巻き取り部をコンパクトに又、スムーズに巻き取ることができるようになり、トイレットペーパーホルダーを自動化するにあたって困難な要素を克服することができる。
【考案の実施するための最良の形態】
【０００６】以下、本考案の実施形態を図１から図３に基づいて説明する。
【０００７】図１においてトイレットペーパーを使用しやすいように複数回に巻いた状態で、手で取り出す様子を示したものである。その方法として図２において、軸３に取り付けたベルト４を接触させて取り付けたものを上ベルト、中ベルト、下ベルトとして、中ベルトと上ベルトの間にトイレットペーパー１を入れベルトを回転させることにより、ベルト後部（反ペーパー側）に移動し、ガイド５により中ベルトと下ベルトの間に巻き込みベルト前部（ペーパー側）に移動しガイド５により上ベルトと中ベルトの間に挟まれ、ペーパーを複数回に巻くものである。図３において、ベルトを回転させる駆動部７、及びそれを制御する制御部８から構成されるものである。
【図面の簡単な説明】
【０００８】
【図１】本考案で巻き取ったペーパーを手で取り出す状態
【図２】本考案の巻き取り機を横から見た図
【図３】本考案の巻き取り機を上から見た図
【符号の説明】
【０００９】１    トイレットペーパー
２    手で取り出す状態
３    軸
４    ベルト
５    ベルト外側ガイド
６    ベルト内側ガイド
７    駆動部
８    制御部
【図１】
0003132686.tif 000003
【図２】
0003132686.tif 000004
【図３】
0003132686.tif 000005
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーを使用するときの長さに巻く為に、二つの軸に取り付けた該ペーパー幅より細いベルト、又は柔軟性のあるリングを回転自在として、該ベルト三つのベルト直線部分を接触させて基盤に設置したものを上ベルト、中ベルト、下ベルトとして該中ベルトの内側、及び軸部の外側に該ペーパーを円滑に送る為のガイドを取り付け、該中ベルトと上ベルトの間に該ペーパーを入れ、ベルトとベルトで挟み該中ベルトに巻き込むものであって、該ペーパーを複数回に巻く為の駆動部、及び制御部を備えたことを特徴とした電動トイレットペーパー巻き取り装置。
(57)【要約】【課題】  携帯電話の使用制限場所で、個別に携帯電話の通信を遮断して利用を制限できるように、携帯電話の電波を遮断する機能を有する携帯電話の収納容器で、不要時には小さく自在に折りたたみ、服のポケットやハンドバッグに手軽に入れて持ち運びできるものを提供する。【解決手段】  個別の携帯電話の電波を遮断するためは、携帯電話の電波を遮断する機能を有するシートを用いて、袋の形状に裁断して縫製または圧着加工することで、折りたたみが自在で軽く服のポケットなどへの収納が容易な携帯電話の電波を遮断できる収納袋とし、袋の口部分に折り返しを設けて携帯電話を包み込む構造とすることで携帯電話の電波を遮断するとよい。【選択図】図３
0003132689.tif 000002
【実用新案登録請求の範囲】
【請求項１】
携帯電話の電波を遮断する機能を有するシートを袋状に加工することで、折りたたみが自在で軽くポケットやハンドバッグへの収納が容易で携帯電話の電波を遮断できる袋とし、袋の入口に折返しを設けることで内側に携帯電話を包み込み、携帯電話の電波が袋の口から入るのを防ぐ構造を特徴とする携帯電話の収納袋。
【考案の詳細な説明】
【技術分野】
【０００１】  本考案は、携帯電話の利用制限場所で、携帯電話の電波を遮断して収納する携帯電話の収納袋に関するものである。
【背景技術】
【０００２】  従来は、電波のシールド機能を有する施設、設備は存在する。また、アルミ等の金属容器では電波のシールド機能が認められるが、個別の携帯電話の電波を遮断する携帯電話の収納袋はなく、金属製の物では簡単に衣服のポケットやカバンに収納するのは困難であった。本考案に使用可能な携帯電話の電波を遮断する機能を有するシートとしては、アルミ蒸着シートが存在する。本考案で使用可能なアルミ蒸着シートのシールド効果測定は、和歌山県工業技術センター、２００６年１０月１０日付け受付番号第１−１０１４号（測定機器：スペックトラムアナライザーＲ３１７２株式会社アドバンテスト製、解析ソフトＴＳＬ製、ＫＥＣ法測定器：日本シールドエンクロージャー製）の試験結果において、１ＭＨｚから１０００ＭＨｚの周波数帯で４０ｄＢから６０ｄＢのシールド効果が認められた。また、本考案に使用するアルミ蒸着シートに携帯電話を包むことで通信を遮断することができた。
【考案の開示】
【考案が解決しようとする課題】
【０００３】  本考案は、携帯電話の利用制限場所において、個別の携帯電話をコンパクトに収納して、携帯電話の通信を遮断することで携帯電話の利用を制限する効果が発揮でき、不要時には、折りたたみが自在で、軽く服のポケットやハンドバッグへ簡単に入れられる携帯電話の収納容器を提供しようとするものである。
【課題を解決するための手段】
【０００４】  その解決手段を図面を追いながら説明すると。
携帯電話の電波を遮断する機能を有するシートを用いることで、縫製または圧着加工によって折りたたみが自在で、極めて軽い収納袋とすることができる。また、携帯電話の電波を遮断する構造については、図１のような収納袋本体（１）の口の部分（３）を、紐で絞る、マジックテープで止める、チャックで閉める形状として、袋の口の部分に折り返し部分（２）を設け、図２のように折返し部分（２）で携帯電話を包み込む構造とすることで、携帯電話の電波を遮断する収納袋とすることができる。
【考案の効果】
【０００５】  本考案による用具は、携帯電話の電波を遮断する機能を有するシートを加工したもので、軽くて小さく折りたたむことができ、不要時には衣服のポケットやハンドバックなどに入れられるので持運びが負担にならない収納袋で、携帯電話使用制限場所では、携帯電話を収納するだけで電波を遮断して通信を制限することができるものである。
【考案を実施するための最良の形態】
【０００６】  本考案は、携帯電話の電波を遮断する機能を有するシートを袋の形状に裁断し、縫製または圧着加工で袋にして、袋の口部分に折返しを設け、袋の口を閉めることで携帯電話を包み込み、袋の口部分から携帯電話の電波が入るのを遮断する構造を持った折りたたみが自在で軽い収納袋とすることができる。
【実施例】
【０００７】  本考案の実施に当っては、袋の口部分の折返しを、袋の内側に入れて袋の口を閉じる形状のもの、或いは袋の外側に出して袋の口に被せて閉める形状のものとすることができる。また、袋の口を閉める形態は、折返し部分で携帯電話を包み込む構造であれば、紐で絞る、マジックテープで止める、チャックで閉める構造のものも携帯電話電波遮断収納袋とすることができる。
【図面の簡単な説明】
【０００８】
【図１】    本考案の正面図である。
【図２】    本考案の斜視図である。
【図３】    本考案の断面図である。
【図４】    本考案の携帯電話収納時の形状を示す断面図である。
【符号の説明】
【０００９】    １  携帯電話電波遮断収納袋本体
２  収納袋の口に設けた折返し部分
３  収納袋の口の部分
４  収納袋の口を絞る紐
５  携帯電話収納想像図
【図１】
0003132689.tif 000003
【図２】
0003132689.tif 000004
【図３】
0003132689.tif 000005
【図４】
0003132689.tif 000006
【手続補正書】
【提出日】平成19年3月15日(2007.3.15)
【手続補正１】
【補正対象書類名】明細書
【補正対象項目名】０００４
【補正方法】変更
【補正の内容】
【０００４】      その解決手段を図面を追いながら説明すると。
携帯電話の電波を遮断する機能を有するシートを用いることで、縫製または圧着加工によって折りたたみが自在で、極めて軽い収納袋とすることができる。また、携帯電話の電波を遮断する構造については、図１のような収納袋本体（１）の口の部分（３）を、紐で絞る、マジックテープ（登録商標）で止める、チャックで閉める形状として、袋の口の部分に折り返し部分（２）を設け、図２のように折返し部分（２）で携帯電話を包み込む構造とすることで、携帯電話の電波を遮断する収納袋とすることができる。
(57)【要約】【課題】  従来の屋根の雪下ろしは人力に頼るのが常で機械式では困難が多く、多大な経費もかかるため必要性に乏しかった。本考案は手軽に出来き、寒波の時は温湯機を使い水の凍結を防ぐ装置であり、その水をまた元に戻して使用する。循環式であり除雪費のムダを防ぐ機械である。【解決手段】  管体タンク（１）に水を入れて、炊き口（３）より廃材・マキ等を入れ、バーナー（４）より熱気を入れて、（２）の煙道より煙を排気し、その熱量も利用して管内にて水を温めて（５）の放水管を通り、（６）の放水管の穴から放水し（７）の軒先に取付けてある流水受樋を通り（１）の温湯タンクに戻る。循環式の機械である。【選択図】図１
0003132687.tif 000002
【実用新案登録請求の範囲】
【請求項１】
温水を溜める（１）の内部にら旋状に施工した煙道管（２）を設け、燃焼管と廃材及びマキ等を炊き口（３）を組み込んだ。油とマキの両炊きの温水をセットし温水を揚水ポンプを通してパイプに送り屋根上のパイプに放水噴射用の    穴より噴射し雪を溶かし流れた水を軒先に設置した水受樋にて渡れ（１）の貯場温水器に入り、又揚水ポンプにて屋根のパイプに送り、放水する循環式仕組みである。
【考案の詳細な説明】
【技術分野】
【０００１】  本考案は、屋根に積もった雪をパイプを通し水を場水ポンプを通しパイプに無数に開け、穴より雪に対し水を噴射して雪を溶かし軒下に設置した流水受けの樋に入り又元の温湯機に戻り又場水ポンプにより屋根上のパイプより放水する仕組みである。寒波の寒い時は温水を使用する。
【背景技術】
【０００２】  本考案の融雪機は少量の燃料で安全な除雪である。パイプを通した温水は雪を溶かしてその水が元に戻るというロータリー式循環式により水のなくなる心配はなく手軽な仕組みである。雪の処理もなく水として変わってゆき除雪の問題はない。水を常時噴射をし流れが止まるのを避ければ凍結の心配はない。
【考案の開示】
【特許文献１】  実用新案登録  第３１２６７５２
【考案が解決しようとする課題】
【０００３】  屋根に積もる雪を水及び温水を使い、雪の積もるのを事前に流すとする考えである。放水し雪が溶けて水になり又元に戻るので水の心配はなく、寒気が厳しい時は温水を常時噴射して水を止めないで凍結を防止する。温湯機にて保温し、夜間の保温は夜間電力の温湯機を使うことを考え、燃費の少ない状態で放水する。
【課題を解決するための手段】
【０００４】  温湯機をバーナー式と廃材マキ式と組み合わせたのは燃料の省エネを考えたのと早く熱する乙電の構造にした。排気煙突は一本にして外部に放出する。
【考案の効果】
【０００５】  本考案は、屋根に積もった雪を人力を使わないで水力により雪を溶かす安全な考えであり、除雪の労力もかからない２重の効果がある豪雪地帯などに必要機器である。
【考案を実施するための最良の形態】
【０００６】  本考案の実施時期は寒気の来る時期を避けて、寒気の備える施工をする。水などの凍結等のないよう十分な配慮である。
【実施例】
【０００７】  屋根に積もった雪を（１）の温湯機に充分に溜めた水を温めて、（９）の揚水ポンプにて（５）の給水管を通り（６）の噴射穴から放水噴射し屋根に積もった雪を溶かしその水が（７）の流水受樋に流れ、元の（１）の温湯機に戻り、又  揚水ポンプにより放水となる仕組みの循環式である。放水する水量を充分貯水し、水を溜め揚水ポンプの確認、放水管の点検受水樋の前点検が重要な手段である。
【図面の簡単な説明】
【０００８】
【図１】  斜視図
【図２】  斜視図
【図３】  循環融雪温湯機内部図
【図４】  循環融雪温湯機外部図
【符号の説明】
【０００９】１    管体
２    ら旋式煙道管
３    廃材、マキ等の炊き口
４    バーナー炊き口
５    放水管
６    放口穴無数
７    流水受樋
８    建物図
９    揚水ポンプ
１０  給水口
１１  煙突
【図１】
0003132687.tif 000003
【図２】
0003132687.tif 000004
【図３】
0003132687.tif 000005
【図４】
0003132687.tif 000006
【手続補正書】
【提出日】平成19年3月20日(2007.3.20)
【手続補正１】
【補正対象書類名】実用新案登録請求の範囲
【補正対象項目名】全文
【補正方法】変更
【補正の内容】
【実用新案登録請求の範囲】
【請求項１】
（イ）温水を溜める管体（１）の内部に螺旋状煙道管（２）、下部には薪をくべる炊き口（３）及びバーナー炊き口（４）並びに揚水ポンプ（９）、上部には給水口（１０）及び煙突（１１）が設けてある。
（ロ）屋根上には揚水ポンプ（９）から放水管（５）が配管してあり、前記放水管（５）には管体（１）に溜まった温水を汲み上げ放水するための放水噴射用の穴（６）が設けてある。
（ハ）軒先には雪が解けた水を受ける流水受樋（７）が設けてあり、前期流水受樋（７）の先端は融水を管体（１）に戻すための給水口（１０）に接続されている。
上記（イ）（ロ）（ハ）の構成よりなる循環式融雪温湯機。
(57)【要約】      （修正有）【課題】仕組まれたカメラ等でカード情報を読み取られることを防止する。【解決手段】自動現金支払機等で、キャッシュカード等を使用し、仕組まれたカメラ等でカード情報を読み取られない様に、ハンドバックやポケットから自動現金支払機等のカード挿入口まで、又は、自動現金支払機等のカード挿入口からハンドバックやポケットまでカードテクトに入れたまま移動する事によって、仕組まれたカメラ等でカード情報を読み取られることを防止する。【選択図】図１
0003132683.tif 000002
【実用新案登録請求の範囲】
【請求項１】
銀行等の自動現金支払機でキャッシュカード等を使用し現金を引出し、預金等する人のキャシュカード名義人名、番号等が、何者かに仕組まれたカメラ他に、読み取られない様な入れ物ケースにキャシュカードを入れたまま自動現金支払機カード挿入口まで持って行き利用出来るキャッシュカード保護ケースを考案した。
【考案の詳細な説明】
【技術分野】
【０００１】本考案はキャッシュカード等の名義人名、番号他の読み取られ防止する為のキャッシュカード入れ物に関するものである。
【背景技術】
【０００２】自動現金支払機等で、キャッシュカード等を使用し、カメラ等で読み取られる事例で、大変な被害を受けた人が有り十分な前例対策がなかった。
【考案の開示】
【考案が解決しようとする課題】
【０００３】自動現金支払機等で、キャッシュカード等を使用し、カメラ等で読み取られない様にする為の対策が無く、何の効果も得られなかった。
【課題を解決するための手段】
【０００４】自動現金支払機等で、キャッシュカード等を使用し、自動現金支払機にキャッシュカードを挿入、取り出しの時、カードテクトにキャッシュカード等を入れカバーする事によってカメラ等で読み取られない様キャッシュカード等を保護し、前述の欠点を解決しようとするものである。
【考案の効果】
【０００５】上述の様に、本考案のカードテクトは、サイズ一定でカード等専用として提供するので、使用方法は簡単であり、カードテクト本体は、カード等とほぼ同じ大きさで持ち運びも容易である。
【考案を実施するための最良の形態】
【０００６】このカードテクトは、プラスチック製で、キャッシュカード等とほぼ同じ大きさ形態で、ハンドバックやポケット等に入れ持ち運び出来るが、落としたりすると破損、損傷の原因となるので、細紐などでカードテクトをベルト等に取り付けると脱落、破損、損傷の予防に効果がある。
【実施例】
【０００７】以下、添付図面に従い実施例を説明する。１はキャッシュカード等出し入れ口で先方を広角にし、キャッシュカード等収納し易くし、２は手の親指を使用し現金自動支払機にキャッシュカード等を押し込み又は、収納する時に用いる表側にのみある穴、３は本体脱落防止用に紐等で止める為の穴である。
【産業上の利用可能性】
【０００８】
【図面の簡単な説明】
【０００９】
【図１】      カードテクト全体斜平面図である。
【図２】      カード収納時のカードテクト斜平面図である。
【図３】      カードテクト使用例図である。
【符号の説明】
【００１０】１      カード出し入れ口
２      操作穴
３      本体止め穴
【図１】
0003132683.tif 000003
【図２】
0003132683.tif 000004
【図３】
0003132683.tif 000005
【手続補正書】
【提出日】平成19年2月26日(2007.2.26)
【手続補正１】
【補正対象書類名】実用新案登録請求の範囲
【補正対象項目名】全文
【補正方法】変更
【補正の内容】
【実用新案登録請求の範囲】
【請求項１】
・銀行等の自動現金支払機の挿入口にキャッシュカード等をケースに入れたまま持って行ける又は、取出し出来る様に、カードケース自体の出し入れ口を広角にし、上面に指で操作する長丸穴が有るという形状を有するキャッシュカード保護ケース。
(57)【要約】【課題】  本考案は、冠婚葬祭など各種受付での敏速且つ簡素化を目的とする。【解決手段】  郵便番号・住所・氏名・電話番号記入する名紙を、各種金封袋に同封する。【選択図】図１
0003132684.tif 000002
【実用新案登録請求の範囲】
【請求項１】
冠婚葬祭及び各種の金封袋に、受付用の名紙を備え付け、予め自宅などで書いた名紙と金封袋を持参することにより、受付での敏速且つ簡素化を図るのが目的である。
【考案の詳細な説明】
【技術分野】
【０００１】  冠婚葬祭及び各種の金封袋に名紙２枚を備え付ける。
祝儀、不祝儀共に夫婦２人で出向く事が多分にあるため、また葬儀の折りは通夜と葬儀分
【背景技術】
【０００２】  風雨や寒暖の激しい時期など、受付で長い列を作って待つのを解消する。
【考案の開示】
【考案が解決しようとする課題】
【０００３】  冠婚葬祭及び各種の受付記帳場所での、簡単でスムーズな記帳により、長い列の中待つことを無くすのが課題である。
【課題を解決するための手段】
【０００４】  風雨や寒暖の激しい時期など、受付で長い列を作って待つのを解消する。
【考案の効果】
【０００５】  健常者はもちろんのこと、特に老人及び身体の不自由な方にも非常に有利であり、引き出物等のもらい忘れや過剰受け渡しも対処できる。
【考案を実施するための最良の形態】
【０００６】  名紙に郵便番号・住所・氏名・電話番号欄を設け、上部に整理番号兼引出物引換券を切り取り線にして付ける。
【実施例】
【０００７】  予め記載済みの名紙を受付係員に手渡す。
受付係員が、両面テープを剥がし記帳簿に貼付する。
引出物がある場合は、記帳簿と整理券にどう番号の符号を付けて渡しておく。同時に金封袋にも同番号を付しておくと包金を記帳する時に便利である。当日引出物を交換した場合は、記帳簿上部に引換券を貼付する。
引換券が貼付されていない分については、後日発送することができる。
【図面の簡単な説明】
【０００８】  祝儀用は赤の罫線、不祝儀用はグレーの罫線とする。名紙を貼ることにより記帳簿は空白となるため、包み金額が記入できる。
【符号の説明】
【０００９】  １  整理番号欄
２  引出物引換劵（整理券）
３  郵便番号・住所・氏名・電話番号
【図１】
0003132684.tif 000003
【図２】
0003132684.tif 000004
【手続補正書】
【提出日】平成19年3月13日(2007.3.13)
【手続補正１】
【補正対象書類名】実用新案登録請求の範囲
【補正対象項目名】全文
【補正方法】変更
【補正の内容】
【実用新案登録請求の範囲】
【請求項１】
冠婚葬祭及び各種の金封袋に、受付用の名紙を備え付け、予め自宅などで書いた名紙と金封袋を持参することにより、受付での敏速且つ簡素化を図るための名紙付各種金封袋
【手続補正２】
【補正対象書類名】明細書
【補正対象項目名】０００８
【補正方法】変更
【補正の内容】
【０００８】
【図１】本考案の名紙付各種金封袋に備え付ける受付用名紙である
【図２】本考案の名紙を貼付する受付用帳簿である
【手続補正４】
【補正対象書類名】明細書
【補正対象項目名】０００９
【補正方法】変更
【補正の内容】
【０００９】
【図１】１．整理番号記入欄  ２．整理券（引出物引換券）  ３．郵便番号、住所、氏名、電話番号記入欄  ４．斜線部分裏面に両面テープ  ５．切り取り線
【図２】１．整理番号記入欄  ２．整理券（引出物引換券）貼付欄  ３．受付用名紙貼付欄
【手続補正５】
【補正対象書類名】図面
【補正対象項目名】全図
【補正方法】変更
【補正の内容】
【図１】
0003132684.tif 000005
【図２】
0003132684.tif 000006
(57)【要約】【課題】  雑菌が付着し難く、製造コスト的にも有利な一体型の舌掃除具付き歯ブラシを提供する。【解決手段】  柄２の一端部に歯ブラシ３を備え、他端部にスプーン状の舌掃除具４を一体に設けた。ここで、スプーン状の舌掃除具４の基部でスプーン状凹部４ａと反対側に凹状の親指当て部５を設けるとよい。また、スプーン状の舌掃除具４は柄２の軸方向に長い楕円状に形成するとよい。【選択図】  図１
0003132637.tif 000002
【実用新案登録請求の範囲】
【請求項１】
柄の一端部に歯ブラシを備え、他端部にスプーン状の舌掃除具を一体に設けたことを特徴とする舌掃除具付き歯ブラシ。
【請求項２】
スプーン状の舌掃除具の基部でスプーン状凹部と反対側に凹状の親指当て部を設けた請求項１に記載の舌掃除具付き歯ブラシ。
【請求項３】
スプーン状の舌掃除具は柄の軸方向に長い楕円状に形成されている請求項１又は２に記載の舌掃除具付き歯ブラシ。
【考案の詳細な説明】
【技術分野】
【０００１】
本考案は、舌の表面に付着した汚れを除去する機能をもつ舌掃除具を備えた舌掃除具付き歯ブラシに関する。
【背景技術】
【０００２】
舌の表面は、食べかすや雑菌が付着し易く、口臭の原因ともなることから、歯磨きと併せて、なるべく清潔にしておくことが望ましい。
このための器具として、軸体の両端の取付け部に歯ブラシ、舌苔取り除き用へら、糸楊枝、口腔内視鏡を着脱可能に取り付けた多機能型口腔清浄用器具がある（特許文献１）。
【０００３】
しかし、かかる多機能型口腔清浄用器具は、着脱式であるため、構造が複雑となり、製造コストがかかり、また着脱部に雑菌が付着しやすく衛生上も好ましくない。
【特許文献１】実用新案登録第３０２００５２号公報
【考案の開示】
【考案が解決しようとする課題】
【０００４】
そこで本考案は、雑菌が付着し難く、製造コスト的にも有利な一体型の舌掃除具付き歯ブラシを提供することを目的とする。
【課題を解決するための手段】
【０００５】
上記課題を解決するために、本考案による舌掃除具付き歯ブラシは、柄の一端部に歯ブラシを備え、他端部にスプーン状の舌掃除具を一体に設けたこと、を特徴としている。
ここで、スプーン状の舌掃除具の基部でスプーン状凹部と反対側に凹状の親指当て部を設けるとよい。
また、スプーン状の舌掃除具は柄の軸方向に長い楕円状に形成するとよい。
【考案の効果】
【０００６】
本考案による舌掃除具付き歯ブラシによれば、柄の一端部に歯ブラシを備え、他端部にスプーン状の舌掃除具を一体に設けたので、舌掃除具の接続部がなく雑菌が付着し難い。また、一体型であるため、構造が簡単で製造コストも低く抑えることができる。
また、スプーン状の舌掃除具の基部でスプーン状凹部と反対側に凹状の親指当て部を設けておけば、該凹部に親指を当て、親指がすべることなく、スプーン状の舌掃除具で舌の汚れを掻き出すことができる。
また、スプーン状の舌掃除具を柄の軸方向に長い楕円状に形成すれば、柄を横向きにして舌の奥から舌の先に向かって押し出すように操作して、舌の汚れを掻き出すことができる。
【考案を実施するための最良の形態】
【０００７】
以下、本考案を実施するための最良の形態を図面に基づいて具体的に説明する。図１（ａ）は本考案の実施例による舌掃除具付き歯ブラシの正面図、（ｂ）は（ａ）の一部断面側面図、図２は舌の掃除の様子を示す説明図である。
【０００８】
本考案の実施例による舌掃除具付き歯ブラシ１は、柄２の一端部に歯ブラシ３を備え、他端部にスプーン状の舌掃除具４を一体に設けたものである。
そして、スプーン状の舌掃除具４の基部でスプーン状凹部４ａと反対側に凹状の親指当て部５を設けてある。
また、スプーン状の舌掃除具４は柄２の軸方向に長い楕円状に形成されている。
なお、符号６は歯磨きの際に親指と人指し指で柄２を握りやすくした滑り止めである。
図においては、スプーン状凹部４ａを歯ブラシ３と反対側に設けたものを示したが、同じ側に設けるようにしてもよい。
【０００９】
かかる構造の舌掃除具付き歯ブラシ１を用いて舌を掃除するには、図２に示すように、柄２を横向きにしてスプーン状の舌掃除具４を舌７の奥に沿わせ、親指当て部５に親指を当てて舌７の奥から舌先に向かって押し出すように操作する。親指当て５があるので、親指がすべることなくスプーン状の舌掃除具４を安定させて押し出すことができる。なお、図２においては、紙面手前側が舌の奥側、紙面向う側が舌先側となる。
【図面の簡単な説明】
【００１０】
【図１】（ａ）は本考案の実施例による舌掃除具付き歯ブラシの正面図、（ｂ）は（ａ）の一部断面側面図。
【図２】舌の掃除の様子を示す説明図。
【符号の説明】
【００１１】
１  舌掃除具付き歯ブラシ
２  柄
３  歯ブラシ
４  舌掃除具
５  親指当て部
６  滑り止め
７  舌
【図１】
0003132637.tif 000003
【図２】
0003132637.tif 000004
(57)【要約】【課題】円柱形プリズムの構造を過度に複雑化することなく、前記円柱形プリズムから放出されるレーザー光の角度を大きくすることができるようにすること。【解決手段】円柱形レーザー光プリズムは、本体と、光学被膜とを有する。前記本体は、湾曲した外面を有する。前記光学被膜は、半透明であり、前記本体の前記外面に適用されている。このため、前記本体に光線が衝突したとき、レーザー光は、前記本体の前記外面から放射状に放出され、小さなセクターに制限されることがない。【選択図】図１
0003132625.tif 000002
【実用新案登録請求の範囲】
【請求項１】
湾曲した外面と、少なくとも１つの長さ方向セクターとを有する、透明材料で作られた、円柱形のロッドからなる本体と、
該本体の前記長さ方向セクターに形成され、前記本体の前記外面を覆う、薄膜材料で作られた、積層構造を有する光学被膜とを含む、円柱形レーザー光プリズム。
【請求項２】
前記光学被膜は５０％の透明度を有する、請求項１に記載の円柱形レーザー光プリズム。
【請求項３】
前記積層構造は、薄膜材料からなる少なくとも１つの層を有する、請求項１に記載の円柱形レーザー光プリズム。
【請求項４】
前記薄膜材料は、ZrO2、MgF2又はTiO2からなる、請求項３に記載の円柱形レーザー光プリズム。
【請求項５】
前記本体は、反対側に位置する２つの長さ方向セクターを有する、請求項４に記載の円柱形レーザー光プリズム。
【請求項６】
前記透明材料はガラスからなる、請求項４に記載の円柱形レーザー光プリズム。
【請求項７】
前記透明材料はアクリルからなる、請求項４に記載の円柱形レーザー光プリズム。
【請求項８】
前記本体は1つの長さ方向セクターを有する、請求項４に記載の円柱形レーザー光プリズム。
【考案の詳細な説明】
【技術分野】
【０００１】
本考案は、レーザー光を放射状に放出する円柱形プリズムに関する。
【背景技術】
【０００２】
円柱形プリズムは、レーザー光源測定システムのような光学機器に広く用いられている。例えば、従来の耐振性レーザー光源測定システムは円柱形プリズムを含み、該円柱形プリズムは、該円柱形プリズムの前部からレーザー光のセクターとして前記円柱形プリズムの後部の中央部分へ透過したレーザー光線を放出する（特許文献１参照）。前記レーザー光のセクターは角度を有する。前記レーザー光のセクターの表面への投射は直線であるため、前記レーザー光のセクターは垂直壁レベリングの基準として用いることができる。
【特許文献１】台湾実用新案登録第１２５９８９９号明細書
【０００３】
前記レーザー光のセクターの前記角度には制限があるため、投射された前記直線にも制限がある。通常、レーザー光出力の前記角度は約１３０度である。特定の用途において、より大きなレーザー光のセクター又はより長い投射直線が必要である場合、２以上のレーザー光源及び円柱形プリズムが必要となる。レーザー光源からの入射レーザー光出力の一部は前記円柱形プリズムの表面により反射されるが、反射光線は強度が弱過ぎて用いることができない。このため、前記円柱形プリズムの構造を過度に複雑化することなく、前記円柱形プリズムから放出される前記レーザー光の前記角度を大きくすることが重要である。
【考案の開示】
【考案が解決しようとする課題】
【０００４】
本考案は、前記した欠点を克服するため、本体と、光学被膜とを含む円柱形プリズムを提供する。
【０００５】
本考案の目的は、円柱形プリズムの構造を過度に複雑化することなく、前記円柱形プリズムから放出されるレーザー光の角度を大きくすることができるようにすることである。
【課題を解決するための手段】
【０００６】
本考案に係る円柱形プリズムは、本体と、光学被膜とを含む。前記本体は、湾曲した外面を有する。前記光学被膜は、半透明であり、前記本体の前記外面に適用されている。このため、前記本体に光線が衝突したとき、レーザー光は、前記本体の前記外面から放射状に放出され、小さなセクターに制限されることがない。
【０００７】
本考案の他の目的、利点及び新規な特徴は、添付の図面に関する以下の詳細な説明からより明らかになる。
【考案を実施するための最良の形態】
【０００８】
図１ないし３に示すように、円柱形レーザー光プリズムは、本体１０と、光学被膜２０とを含む。
【０００９】
本体１０は、円柱形のロッドからなり、ガラス又はアクリルのような透明材料で作られ、湾曲した外面を有する。
【００１０】
レーザー光源３０から放射されかつ光学被膜２０に衝突したレーザー光線は光学被膜２０を透過する。光学被膜２０は、本体１０の少なくとも１つの長さ方向セクターを覆っており、薄膜材料で作られ、少なくとも１つの長さ方向セクターを有する。前記薄膜材料は、ZrO2、MgF2、TiO2等からなる。前記長さ方向セクターは、蒸着法により本体１０の前記外面に形成され、積層構造を有し、本体１０の前記外面の半径方向の角度に亘っている。前記円柱形レーザー光プリズムの第１実施例では、光学被膜２０は、中央接平面を有する１つの長さ方向セクターを有する。前記第１実施例の第１の用途において、前記円柱形レーザー光プリズムは、前記中央接平面が、レーザー光源３０から放出されるレーザー光に対して垂直になるように配置され、２つのレーザー光アークＡを形成する。前記第１実施例の第２の用途において、前記円柱形レーザー光プリズムは、前記中央接平面と、レーザー光源３０から放出されるレーザー光とが鋭角をなすように配置され、前記長さ方向セクターの角度より大きい角度を有する１つのレーザー光アークＢを形成する。前記円柱形レーザー光プリズムの第２実施例では、２つの長さ方向セクターが反対側に位置している。各長さ方向セクターは、レーザー光源３０から放出されるレーザー光に対して平行な中央接平面を有し、前記円柱形レーザー光プリズムは３６０度のレーザー光アークＤを形成する。前記蒸着法は、スパッタリング、物理的蒸着、ディッピング、ブラッシング又は吹付けとすることができる。前記積層構造は少なくとも１つの薄膜材料層を有する。前記積層構造の光学的インピーダンス整合後、異なる膜材料で作られた光学被膜２０は５０％の透明度を有する。
【図面の簡単な説明】
【００１１】
【図１】本考案に係る円柱形レーザー光プリズムの操作時の斜視図。
【図２】レーザー光源から放出されるレーザー光に対して垂直な中央接平面を備える、本考案の第１実施例に係る円柱形レーザー光プリズムの側面図。
【図３】レーザー光源から放出されるレーザー光と中央接平面とが鋭角をなす、本考案の第１実施例に係る円柱形レーザー光プリズムの側面図。
【図４】本考案の第２実施例に係る円柱形レーザー光プリズムの側面図。
【符号の説明】
【００１２】
１０    本体
２０    光学被膜
【図１】
0003132625.tif 000003
【図２】
0003132625.tif 000004
【図３】
0003132625.tif 000005
【図４】
0003132625.tif 000006
(57)【要約】      （修正有）【課題】既存の建築物の窓ガラス・車輌のガラスに断熱塗料を塗りむらなしに塗りつけ、省エネルギーを図る道具を提供する。【解決手段】スポンジ７を布６で包み、板２によりスポンジを簡単に圧縮し、放す事ができ、これによって塗りむらなく均一に塗料を塗る道具。この道具により、スポンジを自由に簡単に手で圧縮し、放す事ができるので、スポンジは塗料を充分に吸収でき、ガラスに塗る場合は、途中で塗料が足りなくなる事が避けられる。又、塗料が布などの織物を通って出て、必要量以上が出ないため、非常に均一且つ薄く塗る事ができる。【選択図】図１
0003132650.tif 000002
【実用新案登録請求の範囲】
【請求項１】
布やシルク等の織物、丈夫な紙など、濾過性を持つ材料で、弾力性のある「ヨ」の字状の棒に付けてあるスポンジを包んだ道具。この道具はガラスに断熱塗料などを均一且つきれいに薄く塗る事ができる。
【考案の詳細な説明】
【技術分野】
【０００１】  本考案はスポンジに布など濾過性のある材料をつけたものである
【技術背景】
【０００２】  省エネルギー及び快適性追求のため、断熱ガラスは既に造られているが、既存の建築物、車輌のガラスに断熱性を持たせる事が望まれ、色々な方法が採られてきた。例えば、ローラー・刷毛・スプレー・スポンジなどで断熱塗料を塗る事が行われている。
【考案の開示】
【考案が解決しようとする課題】
【０００３】  今までガラスに断熱塗料を塗る道具で施工した場合、塗料の均一性が不足のため、塗りむらが生じてきた。また、厚さがありすぎるため、それ自体の重さで塗料がガラスの上から下へ垂れてゆき、これで塗りむらが生じてきた。従って、均一に薄く塗る事のできる道具で、この問題を解決しようとするものである。
【課題を解決するための手段】
【０００４】  本考案はスポンジを布やシルクや丈夫な紙で包み、「ヨ」の字状の金属又はプラスチックで造られた道具にいれる。道具はスポンジを圧縮しては放す、この動きによって、スポンジは塗料を充分に吸収する。また塗る場合は塗料が布などの濾過層を通って出る。
【考案の効果】
【０００５】  上述の様に道具はスポンジを自由に簡単に手で圧縮し、放す事ができるので、スポンジは塗料を充分吸収できる。これによって、ガラスに塗る場合は、途中で塗料が足りなくなることが避けられる。また、塗料が布などの織物を通って出て、必要量以上が出ないため、非常に均一且つ薄く塗る事ができる。
【考案を実施するための最良の形態】
【０００６】  道具の長さは加工対象の窓ガラスの幅より６ｍｍ〜８ｍｍぐらい短く造る。布などとスポンジを密接に結合させるため、粘附させた方がよい。窓ガラスなど平面のガラスの場合、道具はアルミなどの金属で造ればよいが、曲面ガラスの場合、弾力性のある金属かプラスチックで造らなければならない。また、塗料をスポンジに均一に吸収させるため、この道具の長さによって塗料を入れる細長い水槽のようなものを用意した方がよい。
【実施例】
【０００７】  以下、添付図面に従い、実施例を説明する。
１は「コ」の字状のパーツ、平面ガラスに施工する場合、アルミなどの金属で造るが、曲面ガラスに施工する場合、弾力性のある素材で造る。その長さはガラスの幅とほぼ同じである。２は金属或いはプラスチックの板で、スポンジを挟むためのパーツである。３は２枚のオネジで１を通すだけで、２の板と連結する。３を手で押せば２は下へと迫る。８は３と２の連結のためのバンドワッシャで、４はバネである。５はメネジで３と合わせる。５をまわすと４との共同作用で３の行き距離を決め、これでスポンジの圧縮度が決まる。７はスポンジで、６はスポンジを包むものである。密度の違うスポンジを使う事によって、一回の塗料の吸収量が決められる。密度の違う布などの織物を選ぶ事によって、ガラスに塗る塗料の厚さも決められる事になる。
【図面の簡単な説明】
【０００８】
【図１】本考案の塗る道具の立体図
【図２】本道具の断面図
【図３】本道具の図２の局部拡大図
【符号の説明】
１．  治具
２．  金属或いはプラスチックの治具、「コ」の字状
３．  オスネジ
４．  バネ
５．  メスネジ
６．  布・シルク等の織物
７．  スポンジ
８．  バンドワッシャ
【図１】
0003132650.tif 000003
【図２】
0003132650.tif 000004
【図３】
0003132650.tif 000005
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
ガラスに断熱塗料などを均一且つきれいに薄く塗る場合において、
（１）金属或はプラスチックのコの字状の部分、
（２）布やシルク等の織物・丈夫な紙等濾過性を持つ材料で構成する弾力のあるヨの字状の棒をスポンジで包んだ部分、
（３）固定するためのネジ・バンドワッシャ、
以上の構成からなる断熱塗料をガラスに塗る道具。
【手続補正書】
【提出日】平成19年3月2日(2007.3.2)
【手続補正１】
【補正対象書類名】実用新案登録請求の範囲
【補正対象項目名】全文
【補正方法】変更
【補正の内容】
【実用新案登録請求の範囲】
【請求項１】
ガラスに断熱塗料などを均一且つきれいに薄く塗る場合において、
（１）金属或はプラスチック製の外枠部分、
（２）金属或はプラスチック製のコの字状の部分、
（３）布やシルク等の織物・丈夫な紙等濾過性を持つ材料で包んだヨの字状のスポンジ部分、
（４）固定するためのネジ・バンドワッシャ、
（５）外枠内にセットしたコの字状の部分を外枠の２箇所からバンドワッシャを通したネジを通し、ヨの字状のスポンジをコの字の部分に装置し、このネジで締め加減をする、
以上の構成からなる断熱塗料をガラスに塗る道具。
(57)【要約】      （修正有）【課題】草花の構造美を透過光で周囲から、自在な設置性、持ち運びの軽便性、玩弄性をもたせて鑑賞できるようにする。【解決手段】草花を押し花にして、透明アクリル円筒の裏面に配置し、その内側から、透明アクリル板の弾性形状復元力を利用して密着させることにより、高い透過性を確保するとともに、自在な設置性、持ち運びの軽便性、玩弄性を確保するので、草花の構造美を透過光で周囲から鑑賞できる。【選択図】図４
0003132652.tif 000002
【実用新案登録請求の範囲】
【請求項１】
草花を押し花にして、透明アクリル円筒の裏面に配置し、その内側から、透明アクリル板の弾性形状復元力を利用して密着させることにより、草花の構造美を透過光で周囲から鑑賞するための置物
【考案の詳細な説明】
【技術分野】
【０００１】  本考案は、押し花を透過光で周囲から鑑賞する円筒形置物に関するものである。
【背景技術】
【０００２】  草花の構造美を鑑賞するには、花弁のモード、葉脈のデザイン、色彩のグラデュエーションなど、草花のポテンシャルな構造を透過光で周囲から鑑賞するのが最適であり、眺めて鑑賞するだけでなく、眼を近づけたり、角度を変えたりしつつ周囲から観察的に鑑賞することが必要だが、これまでの草花の観賞では、活花及び押し花額など、基本的に反射光で行われ、鑑賞視座の角度の制限されたものであり、上記のような条件を満たすものがなかった。
【考案の開示】
【考案が解決しようとする課題】
【０００３】  本考案が解決しようとする課題は、草花を透過光で周囲から鑑賞でき、透過光のあるところに手軽に持ち運びできる簡便性、眼を近づけたり、角度を変えたりしつつ鑑賞できる玩弄性を備え、草花のもつ心癒性が感得されやすく鑑賞できる置物を開発することである。
【課題を解決するための手段】
【０００４】  本考案における課題解決の手段は、透明アクリル円筒の内側に、押し花にした草花を配置し、その内側から透明アクリル板を丸めて、その弾性形状復元力によって、押し花にした草花をアクリル円筒に密着固定させるものである。
【考案の効果】
【０００５】  本考案の効果は、透明アクリルの円筒と平板だけを用いるため、極めて純度の高い透明性が確保され、周囲から光の透過効果を得られるとともに、軽量な簡便性、玩弄性を得ることができることである。
【考案の実施するための最良の形態】
【０００６】  本考案の実施するための最良の形態は、アクリル板の厚さとカッティングを、アクリル円筒の内径に加えて、押し花の厚みと押し花の繊維、色素を損なうことない程度に裁量した最適の寸法にすることにより、押し花にした草花を透明アクリル円筒に密着固定することである。
【実施例】
【０００７】  以下、添付図面に従って一実施例を説明する。図１の１は透明アクリル円筒であり、その内側に押し花にした草花を静電気付着力と一部接着剤を用いて付着配置、図２の２の適切にカットされた適正厚みの透明アクリル板を図３のごとく丸めてアクリル円筒の内部に挿入し、徐々に広げて透明アクリル円筒に押し付けて図４のごとく両端を接合させて固定する。
【図面の簡単な説明】
【０００８】
【図１】本考案で用いる透明アクリル円筒（押し花設置）
【図２】透明アクリル板
【図３】透明アクリル板を透明アクリル円筒に丸めて入れた図
【図４】透明アクリル板を徐々に広げて両辺を接合させた図
【符号の説明】
【０００９】  １          透明アクリル円筒
２          透明アクリル板
Ｒ          透明アクリル円筒の半径（内径）
２πＲ−α  透明アクリル板の幅
ａ          透明アクリル板の横辺
ｂ          透明アクリル板の横辺（ａの対辺）
【図１】
0003132652.tif 000003
【図２】
0003132652.tif 000004
【図３】
0003132652.tif 000005
【図４】
0003132652.tif 000006
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
透明アクリル円筒、任意の押し花、透明アクリル板を構成要素とし、透明アクリル円筒の内面に任意の押し花をはりつけ、その内側から、透明アクリル円筒の内径に任意の押し花の厚みを加味した寸法にカットした長方形の透明アクリル板を丸めて挿入し、透明アクリル板の左右の辺を密接させ、透明アクリル板の形状復元力を利用して任意の押し花を透明アクリル円筒に密着させる技術により、押し花を透過光で周囲から観賞できるようにした置物。
(57)【要約】      （修正有）【課題】従来のホッチキスは蝶番が支点として固定されているため、ホッチキスの刃がでる部分から蝶番の距離でしか綴じ代がとれなかった。そこで、ホッチキスの受け部を独立させることにより綴じようとする紙面どこでも自由に綴じられるようにする。【解決手段】受け部の上部１と下部４を磁石２，５で着脱可能にし、磁石をコの字型にＳ極とＮ極を互い違いに配列する事により上部と下部が接合した際、互いの中心が合うため、正確にホッチキスの刃が受け部３に入る様にすることを特徴とする。【選択図】図３
0003132656.tif 000002
【実用新案登録請求の範囲】
【請求項１】
磁石により着脱可能にした独立したホッチキス受け部
磁石をコの字型にＳ極とＮ極を互い違いに配列し上部と下部が接合した際、互いの中心が合うことを特徴とする。
【考案の詳細な説明】
【考案の詳細な説明】
【技術分野】
【０００１】この考案は、独立したホッチキスの受け部分を磁石により着脱可能にする事により紙面のどこでもホッチキスの刃をうけられるようにした受け部の考案である。
【考案が解決しようとする課題】
【０００２】従来のホッチキスは蝶番が支点として固定されているため、ホッチキスの刃がでる部分から蝶番の距離でしか綴じ代がとれなかった。
【課題を解決するための手段】
【０００３】本考案は、ホッチキスの受け部を独立させることにより綴じようとする紙面どこでも自由に綴じられるようにした。受け部の上部と下部を磁石で着脱可能にし正確にホッチキスの刃が受け部に入る様にした。本考案は、受け部のみを特徴とする。
【考案の効果】
【０００４】本考案はホッチキスの受け部を独立させることにより綴じようとする紙面どこでも自由に綴じることを可能にした。受け部の上部と下部を磁石で着脱可能にし正確にホッチキスの刃が受け部に入る様にした。刃の発射部は、通常のホッチキスを受け部を開いた状態にして、本考案の上部のスペースにはめ込む様にし、発射する。
【図面の簡単な説明】
【図１】本考案の上面図である。
【図２】本考案の側面図である。
【図３】本考案の斜面図である。
【符号の説明】
１  上部
２  Ｓ極磁石
３  下部
４  受け部
５  Ｎ極磁石
６  ホッチキス挿入スペース
【図１】
0003132656.tif 000003
【図２】
0003132656.tif 000004
【図３】
0003132656.tif 000005
【手続補正書】
【提出日】平成18年12月28日(2006.12.28)
【手続補正１】
【補正対象書類名】実用新案登録請求の範囲
【補正対象項目名】全文
【補正方法】変更
【補正の内容】
【実用新案登録請求の範囲】
【請求項１】
（１）磁石により着脱可能にし、
（２）磁石をコの字型にＳ極とＮ極を互い違いに上部と下部それぞれ配列することにで、
（３）上部と下部が接合した際、互いの中心が合う事により、
（４）既存のホッチキスをもちいて、紙面のどこでも自由に、ホッチキスを打てる。
以上の構成からなるホッチキス受け部。
【手続補正書】
【提出日】平成19年3月3日(2007.3.3)
【手続補正１】
【補正対象書類名】実用新案登録請求の範囲
【補正対象項目名】全文
【補正方法】変更
【補正の内容】
【実用新案登録請求の範囲】
【請求項１】
（１）ホッチキスの刃を丸める受け部のみを上部・下部に分け、上部下部それぞれに磁石を装着することにより着脱可能にし、
（２）磁石をコの字型にＳ極とＮ極を互い違いに上部と下部それぞれ配列することで、
（３）上部と下部が接合した際、互いの中心が合う事により、
（４）ホッチキスを開いた状態で、本考案の刃受け部の上部に合わせて、紙面のどこでも自由に、ホッチキスを打てる
以上の構成からなるホッチキス刃受け部。
(57)【要約】      （修正有）【課題】歯も残歯も入れ歯も簡単に磨けるように、押出し補助具を付けた歯磨きチューブスタンドを提供する。【解決手段】押出し補助具１を取り付け、チューブに圧を掛ける事もチューブストッパーとして使うこともでき、押し出す時力が掛けられるよう角度を変えられ抽出口の高さも変えられるチューブ押出し補助具付きラミネートチューブスタンド２。【選択図】図１
0003132657.tif 000002
【実用新案登録請求の範囲】
【請求項１】
ラミネートチューブスタンドにチューブ押出し補助具を取り付ける事を特徴とし、プッシャーローラーの付いたチューブ押出し補助具付き、ラミネートチューブスタンド。
【請求項２】
チューブ押出し補助具を取り付ける事を特徴とし、チューブストッパーの付いた、請求項１記載のラミネートチューブスタンド。
【考案の詳細な説明】
【技術分野】
【０００１】  ラミネートチューブスタンド
【背景技術】
【０００２】  ラミネートチューブスタンドまたはホルダーを市場でも実用新案登録にも見掛けませんが、整理番号００３、００４でこの機種の姉妹品を出願しております。
【考案の開示】
【考案が解決しようとする課題】
【０００３】  歯も入れ歯も磨き易く使い易く出来ればと、前々回、歯磨きチューブスタンドで出願しておりますが、入れ歯安定剤など他のラミネートチューブも使う事が出来ればと、押出し補助具の付いたラミネートチューブスタンドを考えました。
【課題を解決する為の手段】
【０００４】  ラミネートチューブの角度を変えて抽出口の高さを変え、他のラミネートチューブでの備品も置けるようにし、チューブ押出し補助具１を開発し長めの横型チューブでも綺麗に効率よく使えるようにしました。
【考案の効果】
【０００５】  入れ歯安定剤等、チューブのサイズが合えば色々なラミネートチューブが使えます。
【０００６】  使っていると形を留めない長めの横型チューブも綺麗な板状になります。
【０００７】  プッシャーローラーを続けて使えば、いつも張った状態で少し回し下げるだけで使えます。
【０００８】  ２通りの使い方が出来る。
【０００９】  ラミネートチューブスタンドの一つの形が出来たと考えます。
【考案を実施する為の最良の形態】
ラミネートチューブスタンドの大きさを２又は３種類に分け、交換キャップ取り付け方法も出来るだけ共通化又は整理出来れば・・・
【実施例】
【００１０】  ラミネートチューブのキャップを外してラミネートスタンドに取り付け、角度を決めロックしチューブの後尾にチューブ押出し補助具を取り付けます。【００１１】  指で上の方を押し通常の使い方をし、チューブの張りが無くなってからプッシャーローラーを回し下げ、チューブに張りがでてからもう一度強く回し下げ歯磨を出します。この後は回し下げる事によってチューブが張った状態を保ちます。【００１２】  チューブが張った後指を使い通常の使い方で４、５回使い、チューブの張りが無くなってからプッシャーローラーを回し下げ、圧を掛け、これを繰り返す事も軽く安定した使い方です。【００１３】  使用後は共通キャップをセットします。
【図面の簡単な説明】
【００１４】
【図１】本考案の正面図
【図２】同側面図
【符号の説明】
【００１５】  １、  チューブ押出し補助具整理番号００６で出願
２、  ラミネートチューブスタンド
３、  取り付け部
４、  交換キャップ
５、  可動部ロック付
６、  ロック機構
７、  ラミネートチューブ
【図１】
0003132657.tif 000003
【図２】
0003132657.tif 000004
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブスタンドの下向きの特性を活し、押出し補助具を用いラミネートチューブに連続的に圧をかけ、同時に押し出すことが出来る特徴を有する押出し補助具付ラミネートチューブスタンド。
【請求項２】
断続的に圧をかけ、押し出し易くする事を特徴とし、平行した樹脂等の逆流防止用押出し補助具付請求項１記載のラミネートチューブスタンド。
【手続補正書】
【提出日】平成19年2月20日(2007.2.20)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブスタンドの下向きの特性を活し、平行した一対の葉巻型押出し補助具を用い、ラミネートチューブに連続的に圧をかけ、同時に押出すことが出来る特徴を有する、押出し補助具付ラミネートチューブスタンド。
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブスタンドの下向きの特性を活かし一対の平行した葉巻型押出し補助具を用い、ラミネートチューブに圧を掛け、クリーム状溶液の残流を防ぎ、同時に連続して押出す事の出来る特徴を有する押出し補助具付ラミネートチューブスタンド。
【請求項２】
断続的に圧を掛け、クリーム状溶液の残流を防ぎ同時に押し出し易くする事を特徴とし、樹脂等の弾性を用いた一文字口型請求項１記載の押出し補助具付ラミネートチューブスタンド。